(57)【要約】【課題】従来のインターネット専用電話機を使用した電話は、個別のＬＡＮアダプター、ルーター、ＶＯＩＰアダプターを組み合わせてシステムを構成するようにしているために、これらの機器を個別に購入し各々に設定を行う必要があり、利用者にとっては複雑で、その取扱いも相手の呼出し手順が煩雑で割高な装置となっていた。【解決手段】本発明は、電話機を公衆電話回線とインターネット回路網とに識別信号に応じて切り替え接続を行う選択接続回路と音声等のアナログ信号をインターネットへの接続するための信号処理を行う信号処理回路とルーターを組み合わせて一体にしたインターネット電話の接続装置を構成し、インターネットに接続された電話機の間で通話を行え、又、公衆電話回線に接続された電話機とも通話を行えるようにして従来のインターネット電話の問題点を解決したものである。【選択図】　　　　　　　図１
2004015370.tif 000002
【特許請求の範囲】
【請求項１】
電話機、ＦＡＸの接続されるアナログ端子とパソコン等の接続されるデジタル端子とを有する入力インターフェイス、
インターネットの回路網に接続されたデジタル通信回線が接続されるネットワーク端子と公衆回線のアナログ電話機回線が接続される電話端子を有する出力インターフェイス、
入力インターフェイスのアナログ端子から送られる識別信号に応じてアナログ端子をインターネットへの接続とするか、公衆電話回線への接続とするかの切替を行う選択接続回路、
入力インターフェイスのアナログ端子に入力される音声等のアナログ信号をインターネットへの接続するための信号処理を行う信号処理回路、
出力インターフェイスのネットワーク端子に接続されたルーター、
入力インターフェイスのアナログ端子から送られる識別信号に応じて電話機をインターネットへの接続とするか、公衆電話回線への接続とするかの選択接続回路の切替制御と入力インターフェイスのアナログ端子のアナログ信号をインターネットへの接続する場合に信号処理回路の制御を行う制御回路、
とを具備したデジタル通信回線を使用したインターネット電話の接続装置。
【請求項２】
電話機、ＦＡＸの接続されるアナログ端子とパソコン等の接続されるデジタル端子とを有する入力インターフェイス、
インターネットの回路網に接続されたデジタル通信回線が接続されるネットワーク端子とインターフェイスと、公衆回線のアナログ電話機回線が接続される電話端子を有する出力インターフェイス、
入力インターフェイスのアナログ端子から送られる識別信号に応じてアナログ端子をインターネットへの接続とするか、公衆電話回線への接続とするかの切替を行う選択接続回路、
入力インターフェイスのアナログ端子に入力される音声等のアナログ信号をインターネットへの接続するためのデジタル処理を行うＶＯＩＰアダプター、
ＶＯＩＰアダプター信号をインターネット回路に送信し、又インターネット回路からの信号を受信する機能を持ったＬＡＮアダプター、
出力インターフェイスのネットワーク端子に接続されたルーター、
入力インターフェイスのアナログ端子から送られる識別信号に応じて電話機をインターネットへの接続とするか、公衆電話回線への接続とするかの選択接続回路の切替制御と入力インターフェイスのアナログ端子のアナログ信号をインターネットへの接続する場合にＶＯＩＰアダプター、ＬＡＮアダプターの通信処理機能処理を行う制御回路、
とを具備したデジタル通信回線を使用したインターネット電話の接続装置。
【請求項３】
電話機、ＦＡＸの接続されるアナログ端子とパソコン等の接続されるデジタル端子とを有する入力インターフェイス、
インターネットの回路網に接続されたデジタル通信回線が接続されるネットワーク端子とインターフェイスと、公衆回線のアナログ電話機回線が接続される電話端子を有する出力インターフェイス、
入力インターフェイスのアナログ端子から送られる識別信号に応じてアナログ端子をインターネットへの接続とするか、公衆電話回線への接続とするかの切替を行う選択接続回路、
入力インターフェイスのアナログ端子に入力される音声等のアナログ信号をインターネットへ送信するためのパケット信号に変換するデジタル処理と、インターネットから受信したパケット信号をアナログ信号に変換して入力インターフェイスのアナログ端子に送り出す処理を行うＶＯＩＰアダプター、
ＶＯＩＰアダプターの音声のパケット信号をインターネット回路網中の特定のゲートキーバーに送信し、又インターネット回路よりパケット信号を受信する機能を持ったＬＡＮアダプター、
出力インターフェイスのネットワーク端子に接続されたルーター、
入力インターフェイスのアナログ端子から送られる識別信号に応じて電話機をインターネットへの接続とするか、公衆電話回線への接続とするかの選択接続回路の切替制御と入力インターフェイスのアナログ端子のアナログ信号をインターネットへの接続する場合にＶＯＩＰアダプター、ＬＡＮアダプターの通信処理機能処理を行う制御回路、
とを具備し、電話番号に対応するインターネットのＩＰアドレスを対にして設定された登録データを持ち、電話番号とＩＰアドレスの登録データの管理を行うゲートキーパー機能を持ったインターネット回路網の中のＶＯＩＰサーバーにアクセスして、接続先の電話番号を指定することにより、指定したインターネットのＩＰアドレスが設定されている接続先の電話機に接続するようにして、インターネットプロバイダに接続された電話機の間で公衆電話回線を使用せずに通話を行えるようにするとともに、識別番号に応じて接続先の電話番号を指定することによりアナログ端子に接続された電話器等を公衆電話回線に接続して公衆電話回線に接続された電話機とも通話を行えるようにしたデジタル通信回線を使用したインターネット電話の接続装置。
【請求項４】
請求項１乃至請求項３において、インターネット電話の接続装置を特定する電話番号にはインターネット電話の接続装置に接続された電話機の公衆電話回線の電話番号を使用することを特徴とするインターネット電話の接続装置。
【請求項５】
請求項１乃至請求項３において、電話機を公衆電話回線とインターネット回路網との識別信号に、特定のボタンを押すか又は識別番号を付けることを特徴とするインターネット電話の接続装置。
【請求項６】
請求項１乃至請求項３において、選択接続回路は入力インターフェイスのアナログ端子から送られる識別信号に応じてアナログ端子をインターネットへの接続とするか、公衆電話回線への接続とするかの切替を行い、又インターネットへの接続が行われなかった場合には公衆電話回線へのリダイアル機能を持つことを特徴とするインターネット電話の接続装置。
【発明の詳細な説明】
【発明の属する技術分野】
本発明は、ケーブルテレビ回線や光通信回線等のデジタル通信回線を介してインターネットに公衆回線の電話機を接続して通話を行うようにしたデジタル通信回線を使用したインターネット電話の接続装置に関するものである。
本発明のデジタル通信回線を使用したインターネット電話の接続装置は、パソコン等のインターネット端末機器を使用せずに接続装置をインターネット回線に接続することにより複雑な設定をしないでインターネットプロバイダに接続された電話機の間で通話が行え、又、公衆回線の電話機にも直接通話が行えるようにして、インターネット電話の使い勝手と、汎用性を高めたものである。
【従来の技術】
インターネットを使用した電話システムは、インターネットの回線網を電話回線として用いることにより通信コストが低減されるために急速に普及しつつあり、各種の方式が提案され実用化されている。
このインターネットを使用した電話システムには、専用ソフトを入れたパソコンを使って通信する方式と、インターネット専用電話機を使用してＩＰ用の専用回線を使って通信を行う方式がある。
インターネット専用電話機を使用してＩＰ用の専用回線を使って通信を行う方式は、図５のに示すように、インターネット専用電話機をＶＯＩＰアダプターとパソコンを介して、ターミナルアダプター（ＴＡ）、ＬＡＮアダプター又はＡＤＳＬモデムのＬＡＮ端子に接続し、ターミナルアダプター（ＴＡ）、ＬＡＮアダプター又はＡＤＳＬモデムを介してインターネット回線に接続する方式である。この方式は、利用者がインターネット電話であることを意識しないですむため、パソコンやインターネットに手を出しかねている層にも利用が広がっているが
１．この方式のインターネット電話は、家庭の電話器から最寄りの交換機まではＮＴＴの回線を使い、途中をインターネットの専用網でつなぐようにしているため、両端でＮＴＴの回線使用科が発生し、通話料金に蹄ね返る。
２．電話機を使用しているがターミナルアダプター（ＴＡ）、ＡＤＳＬ、ＣＡＴＶ等の接続されている専用回線内でしか使用することが出来ないため汎用性が乏しい。
３．電話機をインターネットに接続するターミナルアダプター（ＴＡ）、ＡＤＳＬ、ＣＡＴＶ、ルーター等の機器を個別に購入する必要があり、おのおのに設定が必要なために、利用者にとっては複雑でかつ割高となっている。
４．インターネット電話を利用するためにはお互いが同一のインターネットプロバイダーのサービスに加入することが必要である。
等の制約がある。
【発明が解決しようとする課題】
従来のインターネット専用電話機を使用した電話は、個別のＬＡＮアダプター、ルーター、ＶＯＩＰアダプターを組み合わせてシステムを構成するようにしているために、これらの機器を個別に購入し各々に設定を行う必要があり、利用者にとっては複雑で割高な装置となっていた。
又、その取扱いも相手の呼出し手順が煩雑であったり、公衆回線の電話と異なる電話番号やＩＰアドレスを入力して接続する必要があった。又、電話の発信、受信が出来るネットワーク間の組み合わせも限られており、公衆回線の電話への接続が困難である等の問題があり、電話費用は削減できるが、汎用性に乏しく使い勝手が悪い汎用性の少ないシステムである。
このため、インターネットを使用した使い勝手が良く、汎用性のあるインターネット電話の接続装置の実現が求められている。
【課題を解決するための手段】
本発明は、電話機を公衆電話回線とインターネット回路網とに識別信号に応じて切り替え接続を行う選択接続回路と入力インターフェイスのアナログ端子に入力される音声等のアナログ信号をインターネットへの接続するための信号処理を行う信号処理回路とルーターを組み合わせて一体にしたデジタル通信回線を使用したインターネット電話の接続装置を構成し、電話機より接続先の電話番号を指定することにより、指定したインターネットのＩＰアドレスが設定されている接続先の電話機に接続するようにして、インターネットプロバイダに接続された電話機の間で公衆電話回線を使用せずに通話を行えるようにし、又、インターネット電話の接続装置を介して公衆電話回線に接続された電話機とも通話を行えるようにしたデジタル通信回線を使用したインターネット電話の接続装置を実現にすることにより、従来のインターネット電話の問題点を解決したものである。
【発明の実施の形態】
図１は、本発明のデジタル通信回線を使用したインターネット電話の接続装置の一実施例の構成例を示す説明図である。
図１において、１０は公衆回線に使用される電話機、１１は公衆回線に使用されるＦＡＸである。１２はインターネット回路に接続されるコンピュータである。
２０は電話機１０を公衆回線とインターネット回路とに任意に切り替え接続を行うインターネット電話の接続装置である。インターネット電話の接続装置２０は以下に説明する２１〜２７の構成素子を持っている。
２１は、電話機、ＦＡＸの接続されるアナログ端子ＡＮとパソコン等の接続されるデジタル端子ＤＧとを有する入力インターフェイスである。
２２は、インターネットの回路網に接続されたデジタル通信回線が接続されるネットワーク端子ＮＴと、公衆回線のアナログ電話機回線が接続される電話端子ＴＥＬを有する出力インターフェイスである。２３は、入力インターフェイスのアナログ端子から送られる識別信号に応じてアナログ端子をインターネットへの接続とするか、公衆電話回線への接続とするかの切替を行い、又インターネットへの接続が行われなかった場合には公衆電話回線へのリダイアル機能を持った選択接続回路である。
２４，２５は入力インターフェイスのアナログ端子に入力される音声等のアナログ信号をインターネットへの接続するための信号処理を行う信号処理回路である。
信号処理回路の２４は、入力インターフェイスのアナログ端子に入力される音声等のアナログ信号をインターネットへ送信するためのパケット信号に変換するデジタル処理と、インターネットから受信したパケット信号をアナログ信号に変換して入力インターフェイスのアナログ端子に送り出す処理を行うＶＯＩＰアダプターである。
信号処理回路の２５は、ＶＯＩＰアダプター２４の音声のパケット信号をインターネット回路網中の特定のゲートキーバーに送信し、ユーザーのＷＡＮ側のＩＰをゲートキーバーに送信し、又インターネット回路よりパケット信号を受信する機能を持ったＬＡＮアダプターである。
２６は、ＬＡＮアダプター２５と入力インターフェイス２１のデジタル端子ＤＧとの信号の切り替えるローカルなＩＰ管理を行い、音声のパケットを特定のポートで通す機能を持ったルーターである。
２７は、入力インターフェイスのアナログ端子から送られる識別信号に応じて電話機をインターネットへの接続とするか、公衆電話回線への接続とするかの選択接続回路の切替制御と、入力インターフェイスのアナログ端子のアナログ信号をインターネットへの接続する場合にＶＯＩＰアダプター２４、ＬＡＮアダプター２５の通信処理の制御を行う制御回路である。
入力インターフェイス２１のアナログ端子ＡＮは、選択接続回路２３を介してＶＯＩＰアダプター２４に接続されている。ＶＯＩＰアダプター２４はＬＡＮアダプター２５、ルーター２６を介して出力インターフェイス２２のネットワーク端子ＮＴに接続されている。又、入力インターフェイス２１のアナログ端子ＡＮは、選択接続回路２３を介して出力インターフェイス２２の電話端子ＴＥＬに接続されている。入力インターフェイス２１のデジタル端子ＤＧはルーター２６を介して出力インターフェイス２２のネットワーク端子ＮＴに接続されている。
３０は出力インターフェイス２２の電話端子ＴＥＬが接続される公衆回線、４０は出力インターフェイス２２のネットワーク端子ＮＴが接続されるデジタル通信回線で、その一例として示すＣＡＴＶ回線である。
インターネット電話の接続装置２０は、入力インターフェイス２１のアナログ端子ＡＮに接続された電話機から送られる識別信号に応じて電話機を出力インターフェイス２２のネットワーク端子ＮＴに接続するか、電話端子ＴＥＬに接続するかの選択を行う。
インターネット電話の接続装置２０は電話又はＦＡＸを、インターネットへの接続する場合には電話の音声をＶＯＩＰアダプター２４においてＶＯＩＰ（Ｖｏｉｃｅ　ｏｖｅｒ　ＩＰ）に対応した信号処理を行った後、ＬＡＮアダプター２５、ルーター２６を介して出力インターフェイス２２のネットワーク端子ＮＴに送り出し、ＣＡＴＶ回線４０を通してインターネット回路に接続する。
又、インターネット電話の接続装置２０は電話又はＦＡＸを公衆回線に接続する場合は出力インターフェイス２２の電話端子ＴＥＬに送り出し、公衆回線３０に直接接続する。
このようにして、インターネット電話の接続装置２０は電話機から送られる識別信号に応じて電話機をインターネットへの接続とするか、公衆回線への接続とするかの選択接続を行う。
尚、入力インターフェイス２１のデジタル端子ＤＧにパーソナルコンピュータ１２を接続することによりパーソナルコンピュータ１２を使用したインターネット通信を行うことが出来るが、このパーソナルコンピュータの接続機能は、本発明のインターネット電話の接続装置に必要不可欠の物ではないので、インターネット電話の接続だけに使用する場合は、入力インターフェイス２１のデジタル端子ＤＧを削除し装置を簡略化することも可能である。
図２は、本発明のインターネット電話の接続装置を使用したインターネット電話システムの一実施例の構成例を示す説明図である。
図２において、ＴＬ１，ＴＬ２，ＴＬ３，ＴＬ４は公衆回線に使用される電話機である。ＶＯＩＰ１，ＶＯＩＰ２，ＶＯＩＰ３，ＶＯＩＰ４は、公衆回線の電話機を公衆回線とインターネット回路とに任意に切り替え接続を行う本発明のインターネット電話の接続装置である。
ＡＰ１，ＡＰ２，ＡＰ３，ＡＰ４はインターネットプロバイダのアクセスポイントである。アクセスポイントＡＰ１，ＡＰ２，ＡＰ３，ＡＰ４は、インターネットプロバイダのアクセスサーバーやルーターなどに接続されており、すべてのユーザーはアクセスポイントを通してインターネットプロバイダに接続されている。
インターネットプロバイダはネットワークオペレーションセンター（ＮＯＣ）と複数のアクセスポイントＡＰ１，ＡＰ２，ＡＰ３，ＡＰ４とそれらを相互に接続する高速デジタル回線から構成されており、専用線で他のインターネットサービスプロバイダと接続することによりインターネット回路網上の通信を実現している。
５０は、インターネットプロバイダ間を接続するインターネット回路網である。インターネット回路網５０は複数のインターネットプロバイダが接続されている。６０は、公衆回線のアナログ電話網である。
７０は、ＶＯＩＰサーバーである。ＶＯＩＰサーバーは、各インターネット電話の接続装置ＴＬ１，ＴＬ２，ＴＬ３，ＴＬ４に割り当てられた電話番号（ユーザーＩＤ）と、インターネット電話の接続装置が接続されているＷＡＮ側のＩＰアドレスと、インターネット電話の接続装置のＩＰアドレスのデータテーブルを持ち、電話番号（ユーザーＩＤ）とＷＡＮ側のＩＰアドレスとインターネット電話の接続装置のＩＰアドレスの対応テーブルなどの管理を行うゲートキーパー機能を持っている。
図３は、ＶＯＩＰサーバーのデータテーブルの構成を示したものである。図３に示すように、ＶＯＩＰサーバーのデータテーブルは、ＶＯＩＰサーバーが管理しているすべてのインターネット電話の接続装置の電話番号（ユーザーＩＤ）と、プロバイダーが割り当てたＩＰアドレス（ＷＡＮ側のＩＰアドレス）と、インターネット電話の接続装置のＩＰアドレスが対で登録されており、発信先電話番号がこのサーバーに入力された時、このデータテーブルを検索することにより、発信先のインターネット電話の接続装置のＷＡＮ側のＩＰアドレスとインターネット電話の接続装置のＩＰアドレスが容易に得られる構成となっている。
ＷＡＮ側のＩＰアドレスは、接続しているアクセスポイントに対して割り当てられているが、常時接続型のインターネット接続であっても、接続が中断後、再開した時に新たなＷＡＮ側のＩＰアドレスが割り当てられる場合や、ダイヤルアップ時にＷＡＮ側のＩＰアドレスが割り当てられる場合には、インターネット電話の接続装置とＶＯＩＰサーバー７０の自動更新プログラムによりその更新処理が行われる。
ＶＯＩＰサーバー７０の中央処理装置は、メインメモリ中の制御プログラムの指令を受け、インターネット電話の接続装置から受信したＶＯＩＰアダプターのパケットを読み出す。パケットは電話番号と更新されたＷＡＮ側のＩＰアドレスを含んでいる。中央処理装置は、メインメモリ中の制御プログラムの指令を受け、データテーブルをインターネット電話の接続装置の電話番号で検索し、該当した電話番号に対応するＷＡＮ側のＩＰアドレスを、新しいＷＡＮ側のＩＰアドレスで更新する。
電話機ＴＬ１，ＴＬ２，ＴＬ３，ＴＬ４は、それぞれインターネット電話の接続装置ＶＯＩＰ１，ＶＯＩＰ２，ＶＯＩＰ３，ＶＯＩＰ４を介してインターネットプロバイダのアクセスポイントＡＰ１，ＡＰ２，ＡＰ３，ＡＰ４に接続され、アクセスポイントＡＰ１，ＡＰ２，ＡＰ３，ＡＰ４を通してインターネット回路網５０に接続されている。又、各電話機ＴＬ１，ＴＬ２，ＴＬ３，ＴＬ４はそれぞれインターネット電話の接続装置ＶＯＩＰ１，ＶＯＩＰ２，ＶＯＩＰ３，ＶＯＩＰ４を介して公衆回線のアナログ電話網６０に接続されている。インターネット回路網５０にはＶＯＩＰサーバー７０が接続されている。
このように構成された本発明のインターネット電話の接続装置を使用したインターネット電話システムでは、各電話機ＴＬ１，ＴＬ２，ＴＬ３，ＴＬ４はそれぞれインターネット電話の接続装置ＶＯＩＰ１，ＶＯＩＰ２，ＶＯＩＰ３，ＶＯＩＰ４を介してインターネット回路網５０に接続されインターネット通話装置として利用可能になる。
インターネット通話を行う場合における、電話機ＴＬ１の通話要求から接続までの処理手順例を、図４の接続フローチャートを使用して説明する。
本発明のデジタル通信回線を使用したインターネット電話の接続装置では、インターネット電話の接続を行う場合の電話番号（ユーザーＩＤ）には、インターネット電話の接続装置に接続された公衆電話の電話番号をそのまま使用し、公衆電話の回線網に接続し通話を行う場合には電話番号の頭に＃等の識別信号を付して相手の公衆電話の電話番号をダイヤルすることにより、インターネット電話と公衆電話回線網を使用する電話との識別を行うようにしている。
＊ダイヤル
ユーザーＡが電話機ＴＬ１からインターネット通話を行う場合には、
相手の電話番号（ユーザーＩＤ）を「ダイヤル」する。例えば、０３−１２３４−５６７８とダイヤルする。
＊発信
インターネット通話要求元のインターネット電話の接続装置ＶＯＩＰは、電話機ＴＬ１のインターネット通話の識別を確認すると、インターネット通話要求を、ＶＯＩＰサーバー７０のディレクトリサーバーシステムに「発信」する。
インターネット電話の接続装置ＶＯＩＰの通話要求の発信データは、相手のユーザーＢの電話の番号（ユーザーＩＤ）と、ユーザーＡの電話の番号（ユーザーＩＤ）、ＷＡＮ側のＩＰアドレス、インターネット電話の接続装置ＶＯＩＰのＩＰアドレスのデータである。
インターネット電話の接続装置ＶＯＩＰの発信データは、インターネットプロバイダのアクセスポイントＡＰ１を通してインターネット回路網５０に接続されているＶＯＩＰサーバー７０のＩＰアドレスに送信することによってＶＯＩＰサーバー７０に通知される。
＊相手の検索
インターネット電話の接続装置ＶＯＩＰの通話要求を受け取ったＶＯＩＰサーバー７０の中央処理装置は、メインメモリ中の制御プログラムの指令を受け、受信した通話要求の発信データを読み出す。発信データはユーザーＢのインターネット電話の接続装置ＶＯＩＰの電話の番号（ユーザーＩＤ）とユーザーＡの電話の番号（ユーザーＩＤ）、ＷＡＮ側のＩＰアドレス、インターネット電話の接続装置ＶＯＩＰのＩＰアドレス等のデータから構成されている。中央処理装置は、メインメモリ中の制御プログラムの指令により、登録されているデータテーブルから発信データに示された電話番号のデータを検索する。
＊相手の呼出
ＶＯＩＰサーバー７０の中央処理装置は、データテーブルを検索した結果、ユーザーＢ電話番号と一致するデータを特定すると、データテーブルから読み出し、ユーザーＢの電話番号に対応するＷＡＮ側のＩＰアドレス、インターネット電話の接続装置ＶＯＩＰのＩＰアドレスに変換し、これを使用してインターネット回路網５０を通して通話相手のユーザーＢのインターネット電話の接続装置ＶＯＩＰに「接続」し、「呼出」す。
「呼出」を受けたユーザーＢの電話機に接続されたインターネット電話の接続装置ＶＯＩＰは、ユーザーＢの電話番号（ユーザーＩＤ）とこれに対応するＷＡＮ側のＩＰアドレス、インターネット電話の接続装置ＶＯＩＰのＩＰアドレスと、通話要求先のユーザーＡの電話番号（ユーザーＩＤ）をＶＯＩＰサーバー７０に返信することにより「応答」（受話器を取る）する。ＶＯＩＰサーバー７０はユーザーＢの電話機に接続されたＶＯＩＰアダプターからの返信データを発信者のユーザーＡの電話機の接続されたインターネット電話の接続装置ＶＯＰＩに転送することにより相手との通話が確立される。
ＶＯＩＰサーバー７０は、データテーブルを検索した結果、登録されている電話番号（ユーザーＩＤ）に該当するものが無い場合には、未加入電話であると判断して相手の番号が登録されていないことを音声のガイダンスで通話要求先のユーザーＡに返信する。
このガイダンスを受けると、通話要求先のインターネット接続装置ＶＯＩＰ１は「＃」の識別信号を付して相手の公衆電話の電話番号をリダイヤルし、公衆電話の回線網に接続しの公衆電話網を通して通話が行われる。
このように、本発明のデジタル通信回線を使用したインターネット電話の接続装置を使用した電話システムでは、電話機が接続された接続装置が、識別信号をチェツクすることにより、インターネット電話と一般の電話とを識別して、インターネット電話の場合にはユーザーＩＤとして使用される公衆電話の番号をＶＯＩＰサーバー７０の中央処理装置に送ることにより、ＶＯＩＰサーバー７０は登録されているデータテーブルを検索し、検索の結果、電話番号と一致するものがある場合には、その電話番号に対応して登録されている発信先のインターネット電話の接続装置のＩＰアドレスに発信することにより、インターネットプロバイダに接続された電話機の間で公衆電話回線を使用せずに通話を行うことが出来る。
又、電話機が接続されたインターネット電話の接続装置が識別信号をチェツクしてインターネット電話ではないと判断した場合や、ＶＯＩＰサーバー７０が登録されているデータテーブルを検索した結果、電話番号と一致するものが無い場合には、インターネット電話の接続装置を介して公衆電話回線に接続された電話機とも通話が可能となり、発信元や発信先が加入電話かインターネット通話装置かにかかわらず従来の加入電話と同じ操作性により通話を行うことができる。
【発明の効果】
以上の説明より明らかなように、本発明は、電話機を公衆電話回線とインターネット回路網とに識別信号に応じて切り替え接続を行う選択接続回路と入力インターフェイスのアナログ端子に入力される音声等のアナログ信号をインターネットへの接続するための信号処理を行う信号処理回路とルーターを組み合わせて一体にしたデジタル通信回線を使用したインターネット電話の接続装置を構成し、電話機より接続先の電話番号を指定することにより、指定したインターネットのＩＰアドレスが設定されている接続先の電話機に接続するようにして、インターネットプロバイダに接続された電話機の間で公衆電話回線を使用せずに通話を行えるようにし、又、インターネット電話の接続装置を介して公衆電話回線に接続された電話機とも通話を行えるようにしたデジタル通信回線を使用したインターネット電話を実現出来る。
本発明のデジタル通信回線を使用したインターネット電話の接続装置は、公衆回線の電話番号とネットワークアドレスを対応させることが出来るので、加入電話からインターネット通話装置への発信、インターネット通話装置から加入電話への発信、インターネット通話装置からインターネット通話装置への発信、が容易になり、発信元、発信先が加入電話かインターネット通話装置かをまったく意識する必要が無く、かつ従来の加入電話とまったく同じ操作性を実現出来る。
さらにインターネット通話装置間での通話料は、インターネットサービスプロバイダの接続料金を除けば、距離にかかわらず、基本的に無料であるため通信経費の大幅節減が出来る。
【図面の簡単な説明】
【図１】本発明のデジタル通信回線を使用したインターネット電話の接続装置の一実施例の構成例を示す説明図である。
【図２】本発明のインターネット電話の接続装置を使用したインターネット電話システムの一実施例の構成例を示す説明図である。
【図３】ＶＯＩＰサーバーのデータテーブルの構成を示したものである。
【図４】インターネット通話を行う場合における、電話機の通話要求から接続までの処理手順例を示したフローチャートである。
【図５】従来のインターネットを使用した電話システムを説明する図である。
【符号の説明】
１０・・・公衆回線に使用される電話機，
１１・・・公衆回線に使用されるＦＡＸ，
１２・・・インターネット回路に接続されるコンピュータ，
２０・・・インターネット電話の接続装置，
２１・・・入力インターフェイス，
２２・・・出力インターフェイス，
２３・・・選択接続回路，
２４・・・ＶＯＩＰアダプター，
２５・・・ＬＡＮアダプター，
２６・・・ルーター，
２７・・・制御回路，
ＴＬ１，ＴＬ２，ＴＬ３，ＴＬ４・・・公衆回線に使用される電話機，
ＶＯＩＰ１，ＶＯＩＰ２，ＶＯＩＰ３，ＶＯＩＰ４・・・本発明のインターネット電話の接続装置，
ＡＰ１，ＡＰ２，ＡＰ３，ＡＰ４・・・インターネットプロバイダのアクセスポイント，
３０・・・公衆回線，
４０・・・デジタル通信回線，
５０・・・インターネット回路網，
６０・・・公衆回線のアナログ電話網，
７０・・・ＶＯＩＰサーバー，
ＡＮ・・・アナログ端子，
ＤＧ・・・デジタル端子，
ＮＴ・・・ネットワーク端子，
ＴＥＬ・・・電話端子，
【図１】
2004015370.tif 000003
【図２】
2004015370.tif 000004
【図３】
2004015370.tif 000005
【図４】
2004015370.tif 000006
【図５】
2004015370.tif 000007